(57)【要約】【課題】利用者が取得可能な情報が制約されるという問題を解決する情報提供システムを提供することである。【解決手段】解析装置５は、カメラ装置２にて撮影されたコンテンツから広告情報を抽出する。結果蓄積装置６は、解析装置５から抽出された広告情報を記憶する。検索編集装置７は、利用者端末１０２から、検索条件を受信し、その検索条件に適合した広告情報を結果蓄積装置６から検索する。情報配信装置８および情報公開装置９を含む提供装置は、検索編集装置７にて検索された広告情報を提供する。【選択図】図１
2009252087.tif 000002
【特許請求の範囲】
【請求項１】
撮影装置にて撮影された撮影情報から広告情報を抽出する抽出手段と、
前記抽出手段にて抽出された広告情報を記憶する記憶手段と、
利用者端末から、前記広告情報を検索するための検索条件を受信し、該検索条件に適合した広告情報を前記記憶手段から検索する検索手段と、
前記検索手段にて検索された広告情報を提供する提供手段と、を含む情報提供システム。
【請求項２】
請求項１に記載の情報提供システムにおいて、
前記抽出手段は、前記撮影情報に画像認識を行い、該撮影情報内の被写体を特定し、該特定された被写体の中に予め定められた広告用品があると、該広告用品に表示されている情報を前記広告情報として前記撮影情報から抽出する、情報提供システム。
【請求項３】
請求項１または２項に記載の情報提供システムにおいて、
前記撮影装置は、人工衛星に組み込まれている、情報提供システム。
【請求項４】
記憶手段を含む情報提供システムによる情報提供方法において、
撮影装置にて撮影された撮影情報から広告情報を抽出し、
前記抽出された広告情報を前記記憶手段に記憶し、
利用者端末から、前記広告を検索するための検索条件を受信し、
前記受信された検索条件に適合した広告情報を前記記憶手段から検索し、
前記検索された広告情報を提供する、を含む情報提供方法。
【請求項５】
請求項４に記載の情報提供方法であって、
前記撮影情報に画像認識を行い、該撮影情報内の被写体を特定し、
前記特定された被写体の中に予め定められた広告用品があると、該広告用品に表示されている情報を前記広告情報として前記撮影情報から抽出する、情報提供方法。
【請求項６】
請求項４または５に記載の情報提供方法において、
前記撮影装置は、人工衛星に組み込まれている、情報提供方法。
【発明の詳細な説明】
【技術分野】
【０００１】
本発明は、広告情報を提供するための情報提供システムおよび情報提供方法に関する。
【背景技術】
【０００２】
近年、利用者は、ネットワークを利用して、様々な広告情報を取得することが可能になっている。なお、広告情報は、商品に関する商品情報や、店舗に関する店舗情報などである。
【０００３】
しかしながら、利用者がネットワークを利用して取得可能な広告情報は、広告主などがサーバにアップロードした情報に限られていた。
【０００４】
特許文献１には、より多くの広告情報を取得することが可能な商品情報提供システムが記載されている。この商品情報提供システムでは、放送局にて放送された放送情報から、広告情報の一例である商品情報が抽出され、その商品情報がデータベースに記憶される。また、利用者端末からその商品情報に対する要求信号が入力されると、その要求信号に対する商品情報がデータベースから読みだされ、その読みだされた商品情報が利用者端末に送信される。
【０００５】
これにより、利用者は、ネットワークを利用して、広告主がサーバにアップロードした商品情報だけでなく、放送情報に含まれる商品情報を取得することが可能になる。したがって、利用者は、より多くの広告情報を取得することが可能になる。
【特許文献１】特開２００３−６５１１号公報
【発明の開示】
【発明が解決しようとする課題】
【０００６】
特許文献１に記載の商品情報提供システムは、広告情報を放送情報から抽出していた。このため、利用者は、放送されていない広告情報を取得することができない。このため、利用者が取得可能な情報が制約されるという問題があった。例えば、利用者は、ネットワークを利用して、街頭などに設置された看板などの広告用品に表示された広告情報を取得することができない。
【０００７】
本発明の目的は、上記の課題である、利用者が取得可能な情報が制約されるという問題を解決する情報提供システムおよび情報提供方法を提供することである。
【課題を解決するための手段】
【０００８】
本発明による情報提供システムは、撮影装置にて撮影された撮影情報から広告情報を抽出する抽出手段と、前記抽出手段にて抽出された広告情報を記憶する記憶手段と、利用者端末から、前記広告情報を検索するための検索条件を受信し、該検索条件に適合した広告情報を前記記憶手段から検索する検索手段と、前記検索手段にて検索された広告情報を提供する提供手段と、を含む。
【０００９】
本発明による情報提供方法は、記憶手段を含む情報提供システムによる情報提供方法であって、撮影装置にて撮影された撮影情報から広告情報を抽出し、前記抽出された広告情報を前記記憶手段に記憶し、利用者端末から、前記広告を検索するための検索条件を受信し、前記検索条件に適合した広告情報を前記記憶手段から検索し、前記検索された広告情報を提供する、を含む。
【発明の効果】
【００１０】
本発明によれば、利用者が取得可能な情報を増やすことが可能になる。
【発明を実施するための最良の形態】
【００１１】
以下、本発明の実施形態について図面を参照して説明する。
【００１２】
図１は、本発明の第一の実施形態の情報提供システムを示したブロック図である。図１において、情報提供システムは、アンテナ１と、カメラ装置２と、放送受信機３と、蓄積装置４と、解析装置５と、結果蓄積装置６と、検索編集装置７と、情報配信装置８と、情報公開装置９とを含む。
【００１３】
アンテナ１、カメラ装置２、放送受信機３および蓄積装置４は、広告情報を取得するための情報を収集する収集装置を構成する。また、解析装置５、結果蓄積装置６および検索編集装置７は、広告情報の抽出および検索を行う分析装置を構成する。さらに、情報配信装置８および情報公開装置９は、広告情報を提供する提供装置を構成する。
【００１４】
アンテナ１は、放送局１０１が放送している放送コンテンツを公共電波として受信する。放送コンテンツは、例えば、テレビジョン放送によるコンテンツである。なお、放送コンテンツは、テレビジョン放送によるコンテンツに限らず適宜変更可能である。また、放送コンテンツは、その放送コンテンツの内容を示す番組情報を有する。番組情報は、その放送コンテンツが放送された放送時間帯および放送地域や、その放送コンテンツの出演者に関する出演者情報などを含む。
【００１５】
カメラ装置２は、撮影装置の一例である。カメラ装置２は、街頭などの屋外や、公共施設内などに設置された固定カメラ装置でもよいし、携帯電話などの移動体端末でもよい。
【００１６】
図２は、カメラ装置２の構成例を示したブロック図である。図２において、カメラ装置２は、カメラ２１と、位置情報取得部２２と、時計部２３と、制御部２４と、通信部２５とを含む。
【００１７】
カメラ２１は、撮影対象を撮影する。カメラ２１は、定期的に、撮影対象を静止画像として撮影してもよいし、常に動画像として撮影してもよい。また、撮影対象は、例えば、看板や周囲の景色であり、一つ以上の被写体を含む。以下、カメラ２１が撮影した情報を、撮影コンテンツと称する。なお、撮影コンテンツは、撮影情報の一例である。
【００１８】
位置情報取得部２２は、撮影対象の位置情報を取得する。例えば、位置情報取得部２２は、ＧＰＳ（Global positioning system）機能を用いてカメラ２１の位置情報を撮影対象の位置情報として取得する。また、カメラ装置２が固定カメラ装置の場合、撮影対象の位置情報が位置情報取得部２２に予め設定されていてもよい。
【００１９】
時計部２３は、現在の日時情報を測定する。
【００２０】
制御部２４は、カメラ２１で撮影対象が撮影されると、その時に位置情報取得部２２および時計部２３のそれぞれで取得された位置情報および日時情報のそれぞれを、撮影された撮影コンテンツに追加する。
【００２１】
通信部２５は、制御部２４にて位置情報および日時情報が追加された撮影コンテンツを蓄積装置４に送信する。
【００２２】
図１に戻る。放送受信機３は、例えば、テレビジョンチューナーである。なお、放送受信機３は、テレビジョンに組み込まれていてもよいし、テレビジョンに組み込まれていなくてもよい。
【００２３】
放送受信機は、アンテナ１が公共電波として受信した放送コンテンツを復元し、その復元した放送コンテンツを蓄積装置４に送信する。
【００２４】
以下、撮影コンテンツおよび放送コンテンツを単にコンテンツと総称することもある。
【００２５】
蓄積装置４は、カメラ装置２にて撮影された撮影コンテンツと、放送受信機３にて復元された放送コンテンツとを、予め定められた必要期間だけ記憶しておく。
【００２６】
図３は、蓄積装置４の構成の一例を示したブロック図である。図３において、蓄積装置４は、蓄積通信部４１と、日時測定部４２と、管理部４３と、蓄積部４４とを含む。
【００２７】
蓄積通信部４１は、放送受信機３から放送コンテンツを受信し、カメラ装置２から撮影コンテンツを受信する。
【００２８】
日時測定部４２は、現在の日時情報を測定する。
【００２９】
管理部４３は、蓄積通信部４１がコンテンツを受信すると、その時に日時測定部４２にて測定された日時情報をその受信したコンテンツに付ける。管理部４３は、その日時情報を付けたコンテンツを蓄積部４４に記憶する。
【００３０】
また、管理部４３は、定期的に日時測定部４２にて測定された日時情報と、蓄積部４４内のコンテンツのそれぞれに付けられた日時情報とを比較して、蓄積部４４内のコンテンツごとに、そのコンテンツに付けられた日時情報から予め定められた必要期間が経過したか否かを判断する。管理部４３は、必要期間が経過したコンテンツがあると、そのコンテンツを蓄積部４４から削除する。これにより、カメラ２１にて撮影された撮影コンテンツと、放送受信機３にて復元された放送コンテンツとが、予め定められた必要期間だけ記憶される。
【００３１】
解析装置５は、抽出手段の一例である。解析装置５は、定期的に、蓄積装置４に記憶されているコンテンツに画像認識や文字認識などのデータマイニングを行い、そのコンテンツから、そのコンテンツに含まれる広告情報と、その広告情報に付随する付加情報とを抽出する。
【００３２】
具体的には、コンテンツが撮影コンテンツの場合、解析装置５は、先ず、撮影コンテンツに画像認識を行い、撮影コンテンツ内の被写体を特定する。なお、撮影コンテンツ内に複数の被写体がある場合、その被写体のそれぞれを特定する。
【００３３】
続いて、解析装置５は、その特定した被写体の中に予め定められた広告用品があると、撮影コンテンツから、その広告用品に表示されている情報を広告情報として抽出する。広告用品は、例えば、看板および中吊り広告などである。また、看板は、電子看板を含む。さらに、広告用品に表示されている情報は、文字情報でもよいし、画像情報でもよい。
【００３４】
さらに、解析装置５は、広告情報を抽出すると、撮影コンテンツに含まれる日時情報および位置情報を撮影コンテンツから付加情報として抽出する。
【００３５】
また、解析装置５は、広告対象に関する対象情報を、その広告対象を特定するための特定図形ごとに対応付けて予め記憶している場合、以下の処理を行ってもよい。つまり、解析装置５は、広告情報として抽出した画像情報に画像認識を行い、その画像情報に特定図形が含まれるか否かを判断する。解析装置５は、その特定図形があると、その特定図形とその特定図形に対応する対象情報とを広告情報として用いてもよい。なお、広告対象は、例えば、商品、店舗およびサービスなどである。また、対象情報は、例えば、広告対象の名前やブランド名、広告対象である商品のメーカおよび値段などである。さらに、特定図形は、例えば、その広告対象を表すロゴマークや商標などである。
【００３６】
なお、蓄積装置４に記憶されている撮影コンテンツはカメラ装置２にて撮影されているので、解析装置５は、カメラ装置２にて撮影された撮影コンテンツから広告情報および付加情報を抽出することになる。
【００３７】
一方、コンテンツが放送コンテンツの場合、解析装置５は、放送コンテンツに含まれる映像情報に文字認識を行う。解析装置５は、その認識結果の中に予め定められた所定文字列があると、その所定文字列を広告情報として放送コンテンツから抽出する。所定文字列は、商品名やブランド名などである。
【００３８】
また、解析装置５は、放送コンテンツに含まれる音声情報に音声認識を行う。解析装置は、その認識結果の中に所定文字列があると、その所定文字列を広告情報として放送コンテンツから抽出する。
【００３９】
そして、解析装置５は、広告情報を抽出すると、放送コンテンツに含まれる番組情報を付加情報として放送コンテンツから抽出する。
【００４０】
また、解析装置５は、所定文字列を含む画像情報および音声情報を付加情報として放送コンテンツから抽出してもよい。
【００４１】
さらに、解析装置５は、著名人に関する著名人情報を、その著名人の顔を示す著名人顔画像情報ごとに予め対応付けて記憶している場合、以下の処理を行ってもよい。つまり、解析装置５は、付加情報として抽出した画像情報に画像認識を行い、その画像情報に含まれる人物の顔を示す顔画像情報を画像情報から抽出する。解析装置５は、その抽出した顔画像情報と著名人顔画像情報とを照合して、その抽出した顔画像情報が示す顔の人物に関する著名人画像情報があるか否かを判断する。解析装置５は、その著名人画像情報があると、その著名人顔画像情報とその著名人顔画像情報に関する著名人情報を付加情報として用いてもよい。なお、著名人に関する情報は、著名人の名前、性別および年齢などである。
【００４２】
そして、解析装置５は、その抽出した顔画像情報が示す顔の表情を解析して、その解析結果を付加情報として用いてもよい。さらに、解析装置５は、広告情報として抽出した音声情報に感情認識を行い、その認識結果を付加情報として用いてもよい。
【００４３】
また、解析装置５は、対象情報をその広告対象を特定するための特定図形ごとに対応付けて予め記憶している場合、以下の処理を行ってもよい。つまり、解析装置５は、付加情報として抽出した画像情報に画像認識を行い、その画像情報に特定図形が含まれるか否かを判断する。解析装置５は、その特定図形があると、その特定図形とその特定図形に対応する対象情報とを広告情報として用いてもよい。
【００４４】
結果蓄積装置６は、記憶手段の一例である。結果蓄積装置６は、解析装置５にて抽出された広告情報を記憶する。なお、結果蓄積装置６が記憶している広告情報には、その広告情報に付随する付加情報が付けられている。
【００４５】
検索編集装置７は、検索手段の一例である。検索編集装置７は、利用者端末１０２から、広告情報を検索する旨の検索要求を受信する。検索要求は、少なくとも、広告情報を検索するための検索条件を含む。また、検索要求は、利用者を特定する識別情報や、利用者の電子メールアドレスなどを含んでもよい。さらに、検索条件は、例えば、キーワードである。
【００４６】
なお、利用者端末１０２は、小売店などの店舗や個人契約者の自宅などに配置される。
【００４７】
検索編集装置７は、検索要求を受信すると、その検索要求内の検索条件に適合した広告情報を結果蓄積装置６から検索する。例えば、検索条件がキーワードの場合、検索編集装置７は、そのキーワードを含む広告情報や、そのキーワードを含む付加情報が付いた広告情報などを検索する。
【００４８】
情報配信装置８および情報公開装置９からなる提供装置は、検索編集装置７にて検索された広告情報と、その広告情報に付いた付加情報と提供する。なお、提供装置は、情報配信装置８および情報公開装置９のどちらか一方でもよい。
【００４９】
情報配信装置８は、例えば、電子メールサーバである。情報配信装置８は、検索編集装置７にて検索された広告情報と、その広告情報に付いた付加情報と、利用者宛（例えば、利用者の電子メールアドレス宛）に提供する。例えば、情報配信装置８は、利用者の電子メールアドレスを識別情報ごとに対応付けて保持し、検索要求内の識別情報と対応する電子メールアドレス宛に、広告情報および付加情報を提供する。なお、情報配信装置８は、検索要求内の電子メールアドレス宛に広告情報および付加情報を提供してもよい。
【００５０】
情報公開装置９は、例えば、ＷＥＢサーバである。情報公開装置９は、検索編集装置７にて検索された広告情報と、その広告情報に付いた付加情報とを、利用者端末１０２に配信する。
【００５１】
なお、提供装置が広告情報を提供する際に課金を行ってもよい。
【００５２】
次に動作を説明する。
【００５３】
先ず、コンテンツを蓄積する際の情報提供システムの動作を説明する。図４は、この動作例を説明するためのフローチャートである。
【００５４】
ステップＳ４０１では、アンテナ１は、放送局１０１から放送コンテンツを公共電波として受信すると、公共電波を高周波信号に変換する。アンテナ１は、その変換した高周波信号を放送受信機３に送信する。放送受信機３は、その高周波信号を受信すると、ステップＳ４０２を実行する。
【００５５】
ステップＳ４０２では、放送受信機３は、高周波信号から放送コンテンツを復元し、その復元した放送コンテンツを蓄積装置４の蓄積通信部４１に送信する。蓄積通信部４１は、放送コンテンツを受信すると、ステップＳ４０５を実行する。
【００５６】
また、ステップＳ４０３では、カメラ装置２のカメラ２１は、撮影対象を撮影すると、その撮影した撮影コンテンツを制御部２４に送信する。制御部２４は、撮影コンテンツを受信すると、ステップＳ４０４を実行する。
【００５７】
ステップＳ４０４では、制御部２４は、位置情報取得部２２から撮影対象の位置情報を取得し、時計部２３から現在の日時情報を取得する。制御部２４は、その取得した位置情報および日時情報を撮影コンテンツに追加し、その位置情報および日時情報を追加した撮影コンテンツを、通信部２５を介して蓄積装置４の蓄積通信部４１に送信する。蓄積通信部４１は、撮影コンテンツを受信すると、ステップＳ４０５を実行する。
【００５８】
ステップＳ４０５では、蓄積通信部４１は、ステップＳ４０２またはステップＳ４０４で受信したコンテンツを管理部４３に送信する。管理部４３は、コンテンツを受信すると、日時測定部４２から日時情報を取得し、その日時情報をそのコンテンツに付ける。管理部４３は、その日時情報を付けたコンテンツを蓄積部４４に記憶する。その後、管理部４３は、定期的に、ステップＳ４０６をする。
【００５９】
ステップＳ４０６では、管理部４３は、日時測定部４２から日時情報を取得する。管理部４３は、その取得した日時情報と、蓄積部４４内のコンテンツのそれぞれに付けられた日時情報とを比較して、蓄積部４４内のコンテンツごとに、そのコンテンツに付けられた日時情報から予め定められた必要期間が経過したか否かを判断する。管理部４３は、必要期間が経過したコンテンツがあると、ステップＳ４０７を実行し、必要期間が経過したコンテンツがないと、処理を終了する。
【００６０】
ステップＳ４０７では、管理部４３は、その必要期間が経過したコンテンツを蓄積部４４から削除して、処理を終了する。
【００６１】
次に、広告情報を蓄積する際の情報提供システムの動作を説明する。図５は、この動作例を説明するためのフローチャートである。
【００６２】
ステップＳ５０１では、解析装置５は、蓄積装置４の蓄積通信部４１および管理部４３を介して蓄積部４４にアクセスし、蓄積部４４からコンテンツを取得する。解析装置５は、ステップＳ５０１を終了すると、ステップＳ５０２を実行する。
【００６３】
ステップＳ５０２では、解析装置５は、取得したコンテンツが撮影コンテンツか否を判断する。解析装置５は、コンテンツが撮影コンテンツであると、ステップＳ５０３を実行し、コンテンツが撮影コンテンツでないと、ステップＳ５０７を実行する。
【００６４】
ステップＳ５０３では、解析装置５は、撮影コンテンツに画像認識を行い、撮影コンテンツ内の被写体を特定する。解析装置５は、被写体を特定すると、ステップＳ５０４を実行する。
【００６５】
ステップＳ５０４では、解析装置５は、被写体の中に広告用品があるか否かを判断する。解析装置５は、広告用品があると、ステップＳ５０５を実行し、広告用品がないと処理を終了する。
【００６６】
ステップＳ５０５では、解析装置５は、撮影コンテンツの広告用品の部分に画像認識を行い、その認識結果を広告情報として撮影コンテンツから抽出する。解析装置５は、広告情報を抽出すると、ステップＳ５０６を実行する。
【００６７】
ステップＳ５０６では、解析装置５は、撮影コンテンツから、その撮影コンテンツに含まれる日時情報および位置情報を付加情報として抽出する。解析装置５は、その付加情報を広告情報に付ける。
【００６８】
なお、解析装置５は、広告情報として抽出した画像情報に画像認識を行い、その画像情報に特定図形が含まれるか否かを判断する。解析装置５は、その特定図形があると、その特定図形とその特定図形に対応する対象情報とを広告情報として用いてもよい。
【００６９】
解析装置５は、ステップＳ５０６を終了すると、ステップＳ５１２を実行する。
【００７０】
また、ステップＳ５０７では、解析装置５は、放送コンテンツに含まれる映像情報に文字認識を行い、その認識結果に所定文字列が含まれるか否かを判断する。解析装置５は所定文字列が含まれると、ステップＳ５０８を実行し、所定文字列が含まれないと、ステップＳ５０９を実行する。
【００７１】
ステップＳ５０８では、解析装置５は、その所定文字列を広告情報として放送コンテンツから抽出する。
【００７２】
なお、解析装置５は、その所定文字列を含む映像情報をさらに広告情報または付加情報として抽出してもよい。さらに、解析装置５は、付加情報として抽出した画像情報に画像認識を行い、その画像情報に含まれる人物の顔を示す顔画像情報を画像情報から抽出する。解析装置５は、その抽出した顔画像情報と著名人顔画像情報とを照合して、その抽出した顔画像情報が示す顔の人物に関する著名人画像情報があるか否かを判断する。解析装置５は、その著名人画像情報があると、その著名人顔画像情報とその著名人顔画像情報に関する著名人情報を付加情報として用いてもよい。また、解析装置５は、その抽出した顔画像情報が示す顔の表情を解析して、その解析結果を付加情報として用いてもよい。
【００７３】
解析装置５は、ステップＳ５０８を終了すると、ステップＳ５０９を実行する。
【００７４】
ステップＳ５０９では、解析装置５は、放送コンテンツに含まれる音声情報に音声認識を行い、その認識結果に所定文字列が含まれるか否かを判断する。解析装置５は所定文字列が含まれると、ステップＳ５１０を実行し、所定文字列が含まれないと、ステップＳ５１１を実行する。
【００７５】
ステップＳ５１０では、解析装置５は、その所定文字列を広告情報として放送コンテンツから抽出する。なお、解析装置５は、その所定文字列を含む音声情報をさらに広告情報または付加情報として抽出してもよい。また、解析装置５は、広告情報として抽出した音声情報に感情認識を行い、その認識結果を付加情報として用いてもよい。解析装置５は、ステップＳ５１０を終了すると、ステップＳ５１１を実行する。
【００７６】
ステップＳ５１１では、解析装置５は、放送コンテンツに含まれる番組情報を付加情報として抽出する。解析装置は、その付加情報を広告情報に付ける。解析装置５は、ステップＳ５０６を終了すると、ステップＳ５１２を実行する。なお、解析装置は、広告情報を抽出していない場合、ステップＳ５１１と次のステップＳ５１２をスキップして、処理を終了する。
【００７７】
ステップ５１２では、解析装置は、付加情報が付いた広告情報を結果蓄積装置６に記憶し、処理を終了する。
【００７８】
次に、広告情報を配信する際の情報提供システムの動作を説明する。図６は、この動作例を説明するためのフローチャートである。
【００７９】
ステップＳ６０１では、利用者は、利用者端末１０２に検索要求を入力する。利用者端末１０２は、その入力された検索要求をネットワーク１０３を介して情報公開装置９に送信する。情報公開装置９は、その検索要求を受信すると、ステップＳ６０２を実行する。
【００８０】
ステップＳ６０２では、情報公開装置９は、検索要求を検索編集装置７に送信する。検索編集装置７は、検索要求を受信すると、その検索要求内の検索条件に適合する広告情報を結果蓄積装置６から検索する。検索編集装置７は、ステップＳ６０２を終了すると、ステップＳ６０３を実行する。
【００８１】
ステップＳ６０３では、検索編集装置７は、検索した広告情報を結果蓄積装置６から取得する。検索編集装置７は、その取得した広告情報を提供する。
【００８２】
例えば、検索編集装置７は、広告情報の提供方法を識別情報ごと対応付けて記憶する。広告情報の提供方法は、情報配信装置８を用いて広告情報を提供するか、または、情報公開装置９を用いて広告情報を提供するかを示す。
【００８３】
検索編集装置７は、検索要求内の識別情報に対応する提供方法が情報配信装置８を用いた広告情報の提供を示すと、その検索した広告情報と、その広告情報に付いた付加情報と、検索要求内の識別情報とを情報公開装置９に送信する。情報公開装置９は、広告情報、付加情報および識別情報を受信すると、その識別情報に対応する電子メールアドレス宛に、その広告情報および付加情報を提供する。
【００８４】
一方、検索編集装置７は、検索要求内の識別情報に対応する提供方法が情報公開装置９を用いた広告情報の提供を示すと、その検索した広告情報と、広告情報に付いた付加情報とを情報公開装置９に送信する。情報公開装置９は、広告情報および付加情報を受信すると、その広告情報および付加情報を、ＷＥＢページを示すＷＥＢ情報としてネットワーク１０３を介して利用者端末１０２に提供する。
【００８５】
なお、本実施形態では、検索編集装置７は、情報公開装置９を介して検索条件を受信するものとする。しかしながら、検索編集装置７は、情報公開装置９を経由せずに検索条件を受信してもよい。
【００８６】
次に効果を説明する。
【００８７】
本実施形態では、解析装置５は、カメラ装置２にて撮影されたコンテンツから広告情報を抽出する。結果蓄積装置６は、解析装置５から抽出された広告情報を記憶する。検索編集装置７は、利用者端末１０２から、検索条件を受信し、その検索条件に適合した広告情報を結果蓄積装置６から検索する。情報配信装置８および情報公開装置９を含む提供装置は、検索編集装置７にて検索された広告情報を提供する。
【００８８】
この場合、カメラ装置２にて撮影されたコンテンツから広告情報が抽出される。また、検索条件に適合した広告情報が提供される。このため、広告情報が放送されていなくても、利用者は、広告情報を取得することが可能になる。したがって、利用者が取得可能な情報を増やすことが可能になる。
【００８９】
また、本実施形態では、解析装置５は、撮影コンテンツに画像認識を行い、その撮影コンテンツ内の被写体を特定する。解析装置５は、その特定された被写体の中に広告用品があると、その広告用品に表示されている情報を広告情報として撮影コンテンツから抽出する。
【００９０】
この場合、広告情報を適切に抽出することが可能になる。
【００９１】
次に第二の実施形態について説明する。
【００９２】
本実施形態では、カメラ装置２が人工衛星に組み込まれている。図７は、人工衛星に組み込まれたカメラ装置２による撮影を説明するための説明図である。図７において、カメラ装置２は、人工衛星２００に組み込まれている。
【００９３】
この場合、撮影対象は、地表である。また、カメラ装置２の位置情報取得部２２は、人工衛星の位置と、カメラ２１の倍率および向きとに基づいて、撮影対象である地表の位置情報を取得する。
【００９４】
本実施形態では、利用者が取得可能な情報を増やすことが可能になる。
【００９５】
次に第三の実施形態について説明する。本実施形態は、本発明による情報提供システムの最も簡単な例を説明する。
【００９６】
図８は、本実施形態の情報提供システムを示したブロック図である。図８において、情報提供システムは、解析装置５と、結果蓄積装置６と、検索編集装置７と、提供装置１０とを含む。
【００９７】
解析装置５は、カメラ装置２にて撮影された撮影コンテンツから広告情報を抽出する。
【００９８】
結果蓄積装置６は、解析装置５にて抽出された広告情報を記憶する。
【００９９】
検索編集装置７は、利用者端末１０２から、検索条件を受信すると、その検索条件に適合した広告情報を結果蓄積装置６から検索する。
【０１００】
提供装置１０は、検索編集装置７にて検索された広告情報を提供する。
【０１０１】
次に動作を説明する。
【０１０２】
カメラ装置２は、撮影対象を撮影すると、その撮影した撮影コンテンツを解析装置５に送信する。解析装置５は、撮影コンテンツを受信すると、その撮影コンテンツから広告情報を抽出する。解析装置５は、抽出した広告情報を結果蓄積装置６に記憶する。
【０１０３】
また、検索編集装置７は、利用者端末１０２から検索条件を受信すると、その検索条件に適合した広告情報を結果蓄積装置６から検索する。検索編集装置７は、その検索した広告情報を提供装置１０に送信する。提供装置１０は、広告情報を受信すると、その広告情報を提供する。例えば、提供装置１０は、広告情報を予め定められた電子メールアドレス宛に提供したり、利用者端末１０２に提供する。
【０１０４】
次に効果を説明する。
【０１０５】
本実施形態では、解析装置５は、カメラ装置２にて撮影されたコンテンツから広告情報を抽出する。結果蓄積装置６は、解析装置５から抽出された広告情報を記憶する。検索編集装置７は、利用者端末１０２から、検索条件を受信し、その検索条件に適合した広告情報を結果蓄積装置６から検索する。提供装置１０は、検索編集装置７にて検索された広告情報を提供する。
【０１０６】
この場合でも、カメラ装置２にて撮影されたコンテンツから広告情報が抽出される。また、検索条件に適合した広告情報が提供される。このため、広告情報が放送されていなくても、利用者は、広告情報を取得することが可能になる。したがって、利用者が取得可能な情報を増やすことが可能になる。
【０１０７】
なお、本発明は、小売店による商品の仕入れのための情報収集や、メーカによる商品開発のための情報収集などに適用できる。
【０１０８】
以上説明した各実施形態において、図示した構成は単なる一例であって、本発明はその構成に限定されるものではない。
【図面の簡単な説明】
【０１０９】
【図１】本発明の第一の実施形態の情報提供システムを示したブロック図である。
【図２】カメラ装置の構成例を示したブロック図である。
【図３】蓄積装置の構成例を示したブロック図である。
【図４】コンテンツを蓄積する際の情報提供システムの動作例を説明するためのフローチャートである。
【図５】広告情報を蓄積する際の情報提供システムの動作例を説明するためのフローチャートである。
【図６】広告情報を配信する際の情報提供システムの動作例を説明するためのフローチャートである。
【図７】人工衛星に組み込まれたカメラ装置による撮影を説明するための説明図である。
【図８】第三の実施形態の情報提供システムを示したブロック図である。
【符号の説明】
【０１１０】
１        アンテナ
２        カメラ装置
３        放送受信機
４        蓄積装置
５        解析装置
６        結果蓄積装置
７        検索編集装置
８        情報配信装置
９        情報公開装置
１０      提供装置
２１      カメラ
２２      位置情報取得部
２３      時計部
２４      制御部
２５      通信部
４１      蓄積通信部
４２      日時測定部
４３      管理部
４４      蓄積部
１０１    放送局
１０２    利用者端末
２００    人工衛星
【図１】
2009252087.tif 000003
【図２】
2009252087.tif 000004
【図３】
2009252087.tif 000005
【図４】
2009252087.tif 000006
【図５】
2009252087.tif 000007
【図６】
2009252087.tif 000008
【図７】
2009252087.tif 000009
【図８】
2009252087.tif 000010